(57)【要約】      （修正有）【課題】ワイシャツ等の型崩れ、特に襟及び襟元から下方にかけてのワイシャツ上部の型崩れを防止しつつ、簡易に用いることが出来、同時にコンパクトで旅行等に携行しやすいワイシャツ収納ケースを提供する。【解決手段】折りたたまれたワイシャツの少なくとも襟部を載置する板状の載置部１と、両端部が載置部の左右端部に固定された帯状の保持部２と、載置部の上端部に、保持部の上面に重なるように折り返し可能に接続された襟保護部５からなり、保持部には、ワイシャツを載置する際にワイシャツの襟元を挿入するための切欠き部３と、折り返された襟保護部を保持部の上面に係止するための止め部材４が設けられ、襟保護部のワイシャツに当接する面には、切欠き部に挿入されたワイシャツの襟元を、襟元の内側から挟み込むように襟台の内側に沿って突出させた襟台保持部６が設けられる。【選択図】図１
2018020837.tif 000002
【特許請求の範囲】
【請求項１】
折りたたまれたワイシャツを収納するケースであって、折りたたまれたワイシャツの少なくとも襟部を載置する板状の載置部と、ワイシャツを該載置部に保持するために、ワイシャツの上面をワイシャツの幅方向で横断し、両端部が該載置部の左右端部に固定された帯状の保持部と、該載置部に保持されたワイシャツの襟部を覆うために、該載置部の上端部に、前記保持部の上面に重なるように折り返し可能に接続された襟保護部からなり、前記保持部には、ワイシャツを載置する際にワイシャツの襟元を挿入するための切欠き部と、折り返された該襟保護部を上記保持部の上面に係止するための止め部材が設けられ、前記襟保護部のワイシャツに当接する面には、前記切欠き部に挿入されたワイシャツの襟元を、襟元の内側から挟み込むように襟台の内側に沿って突出させた襟台保持部が設けられていることを特徴するワイシャツ収納ケース。
【請求項２】
前記載置部に、保持したワイシャツの、該載置部より下方の部分を収納するための収納袋を、載置部の下端と保持部の下端部に接続させて設けることを特徴とする請求項１に記載のワイシャツ収納ケース。
【発明の詳細な説明】
【技術分野】
【０００１】  本発明は、襟、襟元部分の型崩れを防止する機能の付いたワイシャツ等襟付きシャツ収納、携行ケースの形状、素材、構造に関するものである。
【背景技術】
【０００２】  従来、ワイシャツ等襟付きシャツの型崩れを防止するため、襟及び首元を部分的に固定する技術、シャツを芯材に沿って折りたたむ技術及び剛性のあるケースにシャツ全体を収納するといった技術等が知られている（例えば、特許文献１〜３）。【０００３】  具体的には、特許文献１では複数の襟型崩れ防止板を組み合わせ、襟の内外をこれらの防止板で固定することで襟の型崩れを防ぐことが提案されている。【０００４】  また特許文献２では、２枚の基板に沿ってシャツをたたみ、基板をシャツの芯として組み込むことで携行時のシャツの型崩れ、しわの発生を防ぐことが提案されている。【０００５】  また特許文献３では、剛性を有する任意の材質を用いて形成したケースにシャツ全体を収納する。このときケースの表から見て突き出た形状の窪みを設け、この部分にシャツの首回り、襟の部分を収め裏蓋により固定することで当該部分を保護する。
またワイシャツだけでなく、ネクタイ、ハンカチ等その他小物類も合わせて収納可とすることが提案されている。
【先行技術文献】
【特許文献】
【０００６】
【特許文献１】実開昭６２−１０１７７９号公報
【特許文献２】特開平１０−２０３５７５号公報
【特許文献３】実用登録３１８９４９１号公報
【発明の概要】
【発明が解決しようとする課題】
【０００７】  従来出張、旅行等でワイシャツ等襟付きシャツを携行する場合、鞄の中にいかに丁寧に収納しても、移動中に当初の状態を維持することができず、他の携行品との摩擦により取り出した際のシワの発生や襟元の型崩れが顕著に見られた。
これは本来襟付きシャツが持つ品格、ファッション性を著しく毀損し、商談、面接のほか、冠婚葬祭等の改まった場においても周囲に与える印象を大きく損なってきた。
しかし、これらの従来技術では、襟部分のみの形状を保護するものであったり、ワイシャツを折りたたむ過程で使用するため、改めて折りたたみ直す必要があったり、全体として剛性のあるケースに収納するため、容量を多く取り、嵩張り、重量も増加するという不具合があり、効率的な収納、携行には不向きであった。【０００８】  本発明は、折りたたまれたワイシャツ等の型崩れ、特に襟及び襟元から下方にかけてのワイシャツ上部の型崩れを防止しつつ、簡易に用いることが出来、同時にコンパクトで旅行等に携行しやすいワイシャツ収納ケースを提供することを目的とする。
【課題を解決するための手段】
【０００９】  本発明は上記問題点を解決するために創作されたものであって、第一には折りたたまれたワイシャツを収納するケースであって、折りたたまれたワイシャツの少なくとも襟部を載置する板状の載置部と、ワイシャツを該載置部に保持するために、ワイシャツの上面をワイシャツの幅方向で横断し、両端部が該載置部の左右端部に固定された帯状の保持部と、該載置部に保持されたワイシャツの襟部を覆うために、該載置部の上端部に、前記保持部の上面に重なるように折り返し可能に接続された襟保護部からなり、前記保持部には、ワイシャツを載置する際にワイシャツの襟元を挿入するための切欠き部と、折り返された該襟保護部を上記保持部の上面に係止するための止め部材が設けられ、前記襟保護部のワイシャツに当接する面には、前記切欠き部に挿入されたワイシャツの襟元を、襟元の内側から挟み込むように襟台の内側に沿って突出させた襟台保持部が設けられていることを特徴とする、ワイシャツ収納ケースである。【００１０】  この第一の構成のワイシャツ収納ケースにおいては、ワイシャツは、その襟部分が板状の載置部におかれるため、襟部の下方向への折れ曲りが防止される。また、その襟部の襟元は、帯状の保持部に設けられた切欠き部に襟元が挿入されているため、載置部に対するワイシャツの位置が定まり、その状態で保持部により固定されるため、載置部から襟部がずれることがなくなる。さらに、ワイシャツの襟部分はその上部から、襟保護部によりカバーされるため、形状が保持され、汚れることも防止できる。
また、ワイシャツを収納していない状況では、載置部、保持部及び襟保護部を重ねて板状にできるためコンパクトになる。また、ケースそのものの外形も折りたたまれたワイシャツの首から肩にかけての部分の大きさで済むためコンパクトになる。【００１１】  第二には、第一の構成において載置部に保持したワイシャツの、該載置部より下方の部分を収納するための収納袋を、載置部の下端と保持部の下端に接続させて設けることを特徴とするワイシャツ収納ケースである。【００１２】  第二の構成では、収納する袋を載置部の下端と保持部の下端に連続した収納袋として設けているため、載置部に保持されていないワイシャツの下方部すなわち身頃部分をその袋に収納できるため、折りたたまれたワイシャツの下方部におけるしわの発生や、汚れを防止できる。またこの部分を載置部の下方へ折り返すことで、収納袋を有しつつも、ワイシャツ全体を収納する従来のケースに比べ、大きさをコンパクトにできる。
【発明の効果】
【００１３】  本発明によれば、折りたたまれたワイシャツの襟部が、載置部の所定の位置に保持され、襟保護部により上部から覆われるため、襟保護部の形状が保持され、汚れも防止される。また、本ケースはワイシャツの襟部分を載置する外形サイズであるためケースのコンパクト化が図られており、折りたたまれたワイシャツをそのまま収納するだけでよく簡易に使用できる。
【図面の簡単な説明】
【００１４】
【図１】本発明のワイシャツ収納ケースを示す斜視図であり、襟保護部を伸ばした状態を示す。
【図２】図１のワイシャツ収納ケースに、ワイシャツを収納した状態を示す斜視図であり、係止部の動きも記載している。
【図３】図１のワイシャツ収納ケースに載置したワイシャツの下部を折り返した状態を示す斜視図である。
【図４】本発明の変形例を示す斜視図である。下部に収納袋を有するワイシャツ収納ケースを示す。
【発明を実施するための形態】
【００１５】  以下、本発明の実施の形態を、図面に基づき詳細に説明する。なお、各図において、同一の符号を付したものは同一の構成要素を示すものとする。また、以下の実施形態の説明において、「折りたたまれたワイシャツ」とは、一般に店頭におけるワイシャツ販売時の折りたたみ形状、クリーニング店で行われる折りたたみ形状をいう。本実施形態において単に「ワイシャツ」というときは折りたたまれた状態のワイシャツを意味する。
【００１６】  本発明のワイシャツ収納ケースは、使用する対象が特にワイシャツに限定されることなく、年齢、性別を問わず、襟台の形状保持が必要な衣類全般に用いることができる。
【００１７】  本発明のワイシャツ収納ケースは、特に出張、旅行等の携行を目的とした用途に限定されることなく、収納、展示、その他の用途に用いることができる。
【００１８】  本発明のワイシャツ収納ケースは、図１のとおり、折りたたまれたワイシャツの襟部を載置する板状の載置部１と、載置部１におかれたワイシャツを該載置部に保持するために、ワイシャツの上面をワイシャツの幅方向で横断し、両端部が載置部１の左右端部に固定された帯状の保持部２と、載置部１に保持されたワイシャツの襟部を覆うために、該載置部の上端部に、前記保持部２の上面に重なるよう、載置部１に保持されたワイシャツの襟部分を覆うように折り返し可能に接続された襟保護部５から構成されている。
【００１９】  保持部２には、ワイシャツを載置する際にワイシャツの襟元を挿入するための切欠き部３と、ワイシャツ襟部を覆うように折り返された襟保護部５を保持部２の上面に係止するための止め部材４が設けられている。
【００２０】  襟保護部５のワイシャツに当接する面には、切欠き部３に挿入されたワイシャツの襟元を、その襟元の内側から挟み込むように襟台の内側に沿うように突出させた襟台保持部６が設けられていることを特徴とするワイシャツ収納ケース。
【００２１】  図１の実施形態における、載置部１は矩形の板状の部材である。載置部１は、折りたたまれたワイシャツの襟部の形状を下側から保持する機能を有している。載置部１は、ワイシャツを載置して持ち上げても、平板をほぼ維持できる程度の剛性を有するものであり、材質は問わないが、軽量な合成樹脂板やメッシュ状の板材などが考えられる。また、そのような板材の表面に、ワイシャツを収納しやすくするために滑部材を張り付けたり、意匠的な変化を与えるために化粧布地等を張り付けたものでもよい。板材自体に、ワイシャツの滑りがよい部材を用いてもよい。
【００２２】  載置部１の左右方向の寸法、すなわち、ワイシャツを載置した際、ワイシャツの前立てと平行になる両端部間の寸法は、折りたたんだワイシャツがはみ出すことなく載置できる寸法であればよい。また、上下方向の寸法はワイシャツの襟全体と胸ポケット付近まで載せることができる寸法であればよい。載置部１の外形は本発明の収納ケース全体の外形サイズにほぼ一致する。このため、収納ケースの剛性を有する部分を最小限に小型化できる。
【００２３】  載置部１の上下寸法は、折りたたんだワイシャツの半分程度の長さが好ましい。これは、載置部１からはみ出し、収納袋７に収納されたワイシャツの下部を、載置部１の下に折り曲げてバックなどに収納する際に、ちょうど折り曲げた寸法が、折りたたまれたワイシャツの半分の長さになり、コンパクトに畳みやすいからである。
【００２４】  上記載置部１の上面側、すなわち折りたたまれたワイシャツを載せる面側には帯状の保持部２が設けられている。保持部２は、載置部１の所定の位置にワイシャツを保持する機能を有するとともに、ワイシャツの汚れやしわの発生を防止する機能を有している。本実施形態における保持部２は、載置部１の下部を覆うように設けられ、その下端、左右端は、載置部の下端と左右端とほぼ同じ位置であり、上端は、載置部１の上下方向の長さの半分より上の部分に位置している。
【００２５】  保持部２は、その左右端のみが載置部１に接続されており、下端は載置部１とは接続されていない。折りたたまれた形状で収納されたワイシャツは、載置部１と保持部２に挟まれる形となり、ワイシャツの下部は、載置部１、保持部２の下端部より下方へ飛び出す形で保持される。保持部２は、載置部１と保持部２の間に差し込むためのスペースを確保できるように取り付けられている。
【００２６】  保持部２の部材は、ワイシャツをその下部へ差し込む際の動作を阻害しない程度の柔軟性を有する素材であればよく、布地、樹脂材が考えられる。保持部２の上下方向の幅を有することで、ワイシャツを安定的に面で抑えることが出来、ワイシャツの汚れを防止するカバーの機能も果たすことができる。また、上下方向の幅を有することで切欠き部３を構成することが可能となっている。
【００２７】  保持部２には、ワイシャツを載置する際、またはワイシャツを載置部１と保持部２の間に差し込んだ際に、ワイシャツ襟台の形状に整合するよう成形された切欠き部３が設けられている。本実施形態における切欠き部３は、保持部２の上端で、左右方向の中央部に、略三角形の形で保持部２を切欠きした形状で設けられている。
【００２８】  ワイシャツの襟元を挿入するとは、ワイシャツを載置部１の上部側から、載置部１と保持部２との間に差し込んで、ワイシャツの襟先と身頃の間に、襟元部分（襟台部分）を切欠き部３に当接する位置まで移動させることをいう。
【００２９】  切欠き部３には、折りたたまれたワイシャツの襟元部分が挿入されて、切欠き部の下部３ａに襟元が当接した位置で、載置部１におけるワイシャツは下部方向への移動が規制され、載置部１から滑り落ちることが防止される。また、切欠き部３の左右の辺（３ｂ、３ｃ）により、ワイシャツの襟台部分が、左右方向で動くことを防止し、折りたたまれたワイシャツの襟元部分にしわが発生し、形状が崩れることを防止している。
【００３０】  保持部２の切欠き部３の下部３ａ付近には、止め部材４が設けられている。本実施形態の止め部材４は細長帯状の部材であり、その一端が保持部２の下部３ａ付近に固定され、他方の一端は、折り返された襟保護部５と接続する。
このとき襟保護部５と保持部２を接続する目的で、止め部材４が取り付けられている。止め部材４は、保持部２上面に折り返された襟保護部５を、折り返された状態で保持部２と係止する機能を有している。
【００３１】  載置部１の上端部には、載置部１上に保持されたワイシャツの襟部を覆うために、保持部２の上面に重なるように折り返し可能に接続された襟保護部５が設けられている。襟保護部５は、載置部１に保持されたワイシャツの襟部を覆って、襟部の汚れや襟先の折れ曲がり等を防止する機能を有している。襟保護部５の形状は、載置部１上に置かれたワイシャツの、保持部２により覆われていない部分、すなわち襟部、肩部分などを覆うことができれば、その外形は限定されない。
【００３２】  この襟保護部５は、載置部１と保持部２の上部側に形成された、ワイシャツ差し込みスペースを塞ぐ、フタともなる部分である。以下の説明では襟保護部５を単に「フタ」と簡易的に表現する場合がある。
【００３３】  襟保護部５は、保持部２の上面に重なるように折り返した際、載置部１との間に、ワイシャツの襟部分を間に収納できる程度の隙間を形成するように形成されている。本実施例では載置部１から上面へ立ち上がる立上り部５ａと、その立上り部５ａからさらに折り返して、載置部１と対向するカバー部５ｂにより構成されている。立上り部５ａは剛性のある部材で構成されており、その立上り高さは、ワイシャツ襟台の高さ寸法よりやや高めに形成されている。このため、載置部１との間にワイシャツの襟部分を間に収納できる程度の隙間が形成されている。
【００３４】  本実施形態のカバー部５ｂは、ワイシャツの襟元部分から左右に、略三角形の羽根状に形成されており、ワイシャツの襟の傾斜に合わせて湾曲させて、襟先部分まで確実に覆う形状とされている。ワイシャツの襟部分を覆うことができれば、平面的な矩形としてもよい。
【００３５】  襟保護部５のワイシャツに当接する面、すなわちカバー部５ｂのワイシャツに当接する面側には、保持部２の切欠き部３に挿入されたワイシャツの襟元の内側（首側）に沿うように突出させた襟台保持部６が設けられている。襟台保持部６の突出長さは、ワイシャツの襟台の高さよりやや高めに設定されている。これにより、襟台保持部６は、載置部１上のワイシャツの襟台が、上部から圧縮されてもつぶれないように、載置部１とカバー部５ｂとの間にスペースを確保するための機能を有する。
【００３６】  本実施形態の襟台保持部６は、カバー部５ｂの一部を、ワイシャツの襟台に囲まれた首部に収まるよう、襟台に沿った形で押し出し成形した凸部として襟保護部５に設けられている。フタ（襟保護部５）を閉じた際に、襟、襟元の形状を維持し、型崩れを防止する機能を持つ襟台保持部６は、フタを閉じた状態でワイシャツの襟、首元の凹部に密着し形状を維持、保護する剛性のある素材から成る。
なお、襟台保持部６は、ワイシャツの襟台に沿って設けられることが望ましいが、襟台の内側に沿って断続的に設けてもよい。
【００３７】  この襟台保持部６は携行、収納、展示、保管時等の外部からの摩擦に耐えてワイシャツの襟、襟元の形状を保持するだけの剛性を持つことが必要とされるが、形状は常に立体である必要はなく、使用時のみ立体とし、それ以外の場合には平面とし、省スペース化を図ることが可能である。具体的には、襟台保持部６を、カバー部５ｂに切込みを入れて同一面内に形成、使用時にワイシャツの襟台側へ押して、襟台保持部６として使用し、不使用時はカバー部５ｂ内に収めることでカバー部５ｂを１枚の板状とできる。
これにより、載置部１、保持部２、襟保護部５がそれぞれ板状となり、不使用時は三枚重ねたコンパクトな平板となるため収納等に便利である。
【００３８】  この襟台保持部６は、収納するワイシャツ等襟付きシャツの種類に応じて、大きさ、深さ等の形状を変えることができる。
【００３９】  襟台保持部６をその一部とし、最上部に位置して収納ケースのフタとなる襟保護部５の形状はワイシャツの襟、襟元をカバーして、この部分をシワ、汚れから防ぐことができれば、特にその形状に制限はない。
【００４０】  剛性のある素材から成り、上部のフタ部分である襟保護部５と立上がり部５ａ（折り返し部）で連続し、収納ケースの背に相当する載置部１については、必ずしも襟保護部５と同一素材で一体化している必要はなく、異なる素材にて組成し、その間を開閉可能な部材で連結することもできる。
【００４１】  本実施形態の襟台保持部６の襟元側には、止め部材４の開放端部を襟台保持部６に係止する接続部材として、止め部材４に設けた面ファスナと連結する他面ファスナが設けられている。
【００４２】  フタ部分である襟保護部５とフタを閉めた状態で上部のフタ部分（襟保護部５）と一体になる収納ケースの上部の胸に相当する保持部２との接合、つまりフタを閉めた状態で上部のフタが安定して固定されるための手段として、下部の収納ケースの上部の胸に相当する部分に面ファスナ（商品名マジックテープ）を接続、この面ファスナを上部のフタを閉めた状態で上部のフタの凹部分の襟台保持部６の窪みまで伸ばして固定することで、フタ部分とそれに接合される下部全体を密着させ、安定させると同時にワイシャツの襟、襟元部分の形状を保護、保存する上部のフタの凸部分が安定して固定されるための基礎となる。ただし収納ケースの開閉時における上部のフタである襟保護部５とそれの受け皿となる保持部２との接合は、  マジックテープによる接合に限られるものではなく、襟保持部５と保持部２との  凹凸形状による接合、保持部２から留め具を伸ばして襟保護部５で固定して接合する等他にも種々の接合方法が可能性としてある。
【００４３】  接続部材は、襟保護部５を、保持部２上面に止めることが出来ればよく、折り返した襟保護部５と保持部２が接する部分同士を連結する一対の面ファスナとしてもよい。また、面ファスナに限定されるものでなく、保持部２に切込み部を設け、これに対応する襟保護部５に差し込み部を設け、それらを差し込む形状でもよい。
【００４４】  図２は、図１で説明したワイシャツ収納ケースに、ワイシャツを収納した状態を示すものである。また図３に示すように旅行などの際にコンパクトにするためにワイシャツの下部を載置部１の下層へ折り込むことができる。ワイシャツの折り込まれた部分は剛性のある載置部１により覆われるためしわ等が防止できる。
【００４５】  図４は本発明の別の実施形態を示す。載置部１に保持したワイシャツの、載置部１より下方の部分を収納するための収納袋７を、載置部１の下端と保持２の下端に接続して設けている。本実施形態の収納袋７は布やメッシュなどの柔軟性のある部材により形成されている。収納袋７は載置部１側へ折り返すことで、収納ケース全体をコンパクトにすることができる。本実施形態の収納袋７は、載置部１及び保持部２に一体的に接続されているが、面ファスナー（商品名マジックテープ）やスライドファスナーなどで、着脱自在に接続してもよい。
【００４６】  このように、本発明のワイシャツ収納ケースは、使用時には、ワイシャツの襟部分の形状を重点的に保護しつつ、コンパクトに持ち運びすることができる。また、ケース本体がコンパクトであるため、使用していない場合に鞄等への収納する際にも収納スペースが少なくて済む。
【００４７】  以上、一例を用いて本発明のワイシャツ収納ケースについて説明したが、本発明のワイシャツ収納ケースは、上記一例に限定されることはなく、本発明のワイシャツ収納ケースには、適宜変更を加えることができる。また胸の部分に相当する保持部にハンカチ等小物を収納するスペースを外付けすることも可能である。襟、首回りの形態、サイズ及び収納ケース全体のサイズについては、性別、年齢を問わず、様々な形態が考えられ、その色彩、素材、ワイシャツ収納ケース各部の接合方法等についても上記一例に限定されるものではない。
【符号の説明】
【００４８】１  載置部
２  保持部
３  切欠き部
４  止め部材
５  襟保護部
６  襟台保持部
【図１】
2018020837.tif 000003
【図２】
2018020837.tif 000004
【図３】
2018020837.tif 000005
【図４】
2018020837.tif 000006